(57)【要約】      （修正有）【課題】横幅の小さなコンベアユニット、および、横幅の異なる可撓性シートを取り替えて搬送することのできるコンベアユニットおよびコンベア装置の提供。【解決手段】コンベアユニット１は、ローラ体６Ａ〜６Ｆとローラ体４との間に架け回されて周回する無端状体１１の載置面に、可撓性シートを載置して搬送するユニットであって、無端状体１１の載置面は、シート搬送方向（矢印Ｆ方向）に見て下向きに湾曲した湾曲形状に形成されている。無端状体１１は、シート搬送方向（矢印Ｆ方向）と直角の方向に並べて配置されてシート搬送方向に走行する６本の条体１０Ａ〜１０Ｆで構成されている。【選択図】図１
2008214034.tif 000002
【特許請求の範囲】
【請求項１】
少なくとも２つのローラ体間に架け回されて周回する無端状体の載置面に可撓性シートを載置して搬送するコンベアユニットにおいて、無端状体の載置面が、シート搬送方向に見て下向きに湾曲した湾曲形状に形成されていることを特徴とするコンベアユニット。
【請求項２】
無端状体が、シート搬送方向と直角の方向に並べて配置されてシート搬送方向に走行する複数の条体で構成されている請求項１に記載のコンベアユニット。
【請求項３】
複数の可撓性シート体をシート搬送方向と直角の方向に並べて搬送する第１コンベア装置と、
第１コンベア装置により搬送された複数の可撓性シートの個々に対応してそれぞれ配備された請求項１または請求項２に記載のコンベアユニットとを備えてなり、
第１コンベア装置が複数の可撓性シートを送出する各位置に、各コンベアユニットの受取側端部がそれぞれ配置され、各コンベアユニットを横方向旋回自在に枢支する枢支部が各コンベアユニットの送出側端部にそれぞれ設けられていることを特徴とするコンベア装置。
【発明の詳細な説明】
【技術分野】
【０００１】
本発明は、被搬送物を載置して搬送するコンベアユニットおよびこれを用いたコンベア装置に関するものである。
【背景技術】
【０００２】
従来、この種のコンベア装置に用いられるコンベアユニットは例えば下記の特許文献１に記載されたものが知られている。下記文献１記載のコンベアユニットはトップチェーンコンベアであり、図８に示したコンベア装置１００に使用されている。図示のコンベア装置１００は、複数のシップ薬シート３７（可撓性シート）を左右横方向に並べて搬送する第１コンベア装置５１と、第１コンベア装置５１から離れた位置に配備された第２コンベア装置５２，５２と、第１コンベア装置５１と第２コンベア装置５２，５２との間に配備されて第１コンベア装置５１からのシップ薬シート３７を第２コンベア装置５２，５２に搬送する６基のトップチェーンコンベア１０１，１０１，１０１，１０１，１０１，１０１とを備えている。各トップチェーンコンベア１０１の受取側端部は、第１コンベア装置５１からの６枚のシップ薬シート３７,３７,３７，３７,３７,３７（３枚分の幅がＷ１）を受け取れる各位置にそれぞれ固定配置されている。各トップチェーンコンベア１０１により搬送されたシップ薬シート３７は、計数器３５で計数されて一時貯留されたのち、各第２コンベア装置５２上のバケット３４に投入されるようになっている。
【０００３】
【特許文献１】特開２００３−２６７５３９号公報（段落［０００９］他、図２）
【発明の開示】
【発明が解決しようとする課題】
【０００４】
ところが、従来のコンベア装置１００では、第１コンベア装置５１に対しトップチェーンコンベア１０１，１０１，１０１，１０１，１０１，１０１の受取側端部が固定配置されているので、横幅がシップ薬シート３７とは異なるシップ薬シート３７Ｓ（例えば３枚分の横幅がＷ１よりも狭いＷＳである）に取り替えて搬送することはできない。そのために、シップ薬シート３７Ｓを搬送したい場合は、シップ薬シート３７Ｓのサイズに適応した専用のコンベア装置を別途用意しておく必要があった。その場合は、設備コストが高くつき、無用の装置保管スペースも確保せざるを得ない。他方で、横幅が比較的広いトップチェーンコンベアを使用すると、多数のトップチェーンコンベアを横並びに並設したときに、装置全体の横幅が大きくなって設置スペースを大きくせざるを得なくなる。
【０００５】
本発明は、上記した従来の問題点に鑑みてなされたものであって、横幅の小さなコンベアユニット、および、横幅の異なる可撓性シートを取り替えて搬送することのできるコンベアユニットおよびコンベア装置の提供を目的とする。
【課題を解決するための手段】
【０００６】
上記目的を達成するために、本発明に係るコンベアユニットは、少なくとも２つのローラ体間に架け回されて周回する無端状体の載置面に可撓性シートを載置して搬送するコンベアユニットにおいて、無端状体の載置面が、シート搬送方向に見て下向きに湾曲した湾曲形状に形成されている構成にしてある。
【０００７】
また、前記構成において、無端状体が、シート搬送方向と直角の方向に並べて配置されてシート搬送方向に走行する複数の条体で構成されているものである。
【０００８】
そして、本発明に係るコンベア装置は、複数の可撓性シート体をシート搬送方向と直角の方向に並べて搬送する第１コンベア装置と、第１コンベア装置により搬送された複数の可撓性シートの個々に対応してそれぞれ配備された請求項１または請求項２に記載のコンベアユニットとを備えてなり、第１コンベア装置が複数の可撓性シートを送出する各位置に、各コンベアユニットの受取側端部がそれぞれ配置され、各コンベアユニットを横方向旋回自在に枢支する枢支部が各コンベアユニットの送出側端部にそれぞれ設けられているものである。
【発明の効果】
【０００９】
本発明に係るコンベアユニットによれば、少なくとも２つのローラ体間に架け回されて周回する無端状体の載置面が、シート搬送方向に見て下向きに湾曲した湾曲形状に形成されているので、無端状体の載置面に載置された可撓性シートは平坦時の幅よりも狭い幅になって搬送される。従って、幅の小さなコンベアユニットを提供することができる。これにより、複数のコンベアユニットをユニット幅方向に詰めて配置することができる。
【００１０】
また、無端状体が、シート搬送方向と直角の方向に並べて配置されてシート搬送方向に走行する複数の条体で構成されているものでは、簡素に構成できるとともに、無端状体の走行時に無理な力がかかりにくいコンベアユニットを提供することができる。
【００１１】
そして、本発明に係るコンベア装置は、各コンベアユニットをシート搬送方向と直角の方向に旋回自在に枢支する枢支部が各コンベアユニットの送出側端部にそれぞれ設けられていて、各コンベアユニットの受取側端部が第１コンベア装置に対しそれぞれシート搬送方向と直角の方向に移動可能になっているので、ひとつの装置で、横幅の異なる可撓性シートを取り替えて搬送することができる。従って、可撓性シートの適用サイズの異なるコンベア装置を複数種用意する必要がなくなる。
【発明を実施するための最良の形態】
【００１２】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係るコンベアユニットの平面構成図、図２は図１におけるＡ−Ａ線矢視図、図３は図２におけるＢ−Ｂ線矢視およびＣ−Ｃ線矢視の図、図４は図２におけるＤ−Ｄ線矢視図である。
各図において、この実施形態に係るコンベアユニット１は、左右に離間配置された１対の本体枠板２，２と、本体枠板２，２の後端部に連結されて本体枠板２，２よりも広く離間配置された後部枠板３，３とを備えている。
【００１３】
前部枠板２，２の前端間には軸７が架け渡されており、この軸７の左右両端近傍にローラ体６Ａ，６Ｆが回動自在に枢支されている。前部枠板２，２における軸７の後方位置には軸８が架け渡され、この軸８にローラ体６Ｂ，６Ｅが回動自在に枢支されている。前部枠板２，２における軸８の後方位置に軸９が架け渡され、この軸９の左右中央部近傍にローラ体６Ｃ，６Ｄが回動自在に枢支されている。前部枠板２，２における軸７の下方位置に架け渡された軸１９に、外周面に４条の周溝を有するローラ体２０が回動自在に枢支されている。前部枠板２，２の後端下部に、外周面に６条の周溝を有するローラ体２１が架け渡されて回動自在に枢支されている。前部枠板２，２におけるローラ体２１の前方位置には、外周面に６条の周溝を有するローラ体２５が架け渡されて回動自在に枢支されている。前部枠板２，２の前後中央下部に、外周面に６条の周溝を有するローラ体２８が架け渡されて回動自在に枢支されている。ローラ体２１とローラ体２５の間には、外周面に６条の周溝を有する駆動ローラ体２４が配備されている。この駆動ローラ体２４はモータ２３と駆動連結された減速機１７の駆動軸２９に固設されている。ローラ体２５とローラ体２８の間には、１０Ａ〜１０Ｆのダブツキを解消する長さ調整用ローラ体２６，２６，２６，…からなるローラ体群２７が配備されている。尚、本発明にいうローラ体としては、ローラ軸心方向に薄いプーリ状のものやローラ軸心方向に厚いローラ状のものを含んでいる。前部枠板２，２内で、ローラ体６Ａ，６Ｆは最外位置かつ最上位置に配置され、ローラ体６Ｃ，６Ｄは最内位置かつ最下位置に配置されている。ローラ体６Ｂ，６Ｅの幅方向位置および高さ位置はローラ体６Ａ，６Ｆとローラ体６Ｃ，６Ｄの間の位置に設定されている。
【００１４】
後部枠板３，３間に架け渡された軸５には、外周面に１０条の周溝を有する円柱状のローラ体４が回動自在に枢支されている。後部枠板３，３における軸４の前方位置に軸１５が架け渡され、この軸１５にローラ体１６Ａ，１６Ｂが回動自在に枢支されている。後部枠板３，３における軸１５の前方位置に架け渡された軸１２に、外周面に６条の周溝を有するローラ体１３が回動自在に枢支されている。ローラ体４はローラ体６Ｃ，６Ｄと同じ高さ位置に配置されている。ローラ体１６Ａ，１６Ｂはローラ体６Ｂ，６Ｅと同じ高さ位置に配置されている。ローラ体１３はローラ体６Ａ，６Ｆと同じ高さ位置に配置されている。
【００１５】
そして、６本の条体１０Ａ〜１０Ｆがシート搬送方向（矢印Ｆ方向）と直角の方向に並べて配置されており、これらは全てローラ体４、ローラ体２１、駆動ローラ体２４、ローラ体群２７、およびローラ体２８の順に架け回されている。更に、条体１０Ａは、ローラ体２８からローラ体２０、ローラ体６Ａ、およびローラ体１３を経てローラ体４に戻るように各ローラ体の周溝に巻き掛けられている。条体１０Ｂは、ローラ体２８からローラ体２０、ローラ体６Ｂ、およびローラ体１６Ａを経てローラ体４Ａに戻るように巻き掛けられている。条体１０Ｃは、ローラ体２８からローラ体６Ｃを経てローラ体４に戻るように巻き掛けられている。条体１０Ｄは、ローラ体２８からローラ体６Ｄを経てローラ体４に戻るように巻き掛けられている。条体１０Ｅは、ローラ体２８からローラ体２０、ローラ体６Ｅ、およびローラ体１６Ｂを経てローラ体４に戻るように巻き掛けられている。条体１０Ｆは、ローラ体２８からローラ体２０、ローラ体６Ｆ、およびローラ体１３を経てローラ体４に戻るように巻き掛けられている。すなわち、これら６本の条体１０Ａ〜１０Ｆにより無端状体１１が構成される。そして、ローラ体４の両側端の２対の周溝とローラ体１３の両側端の２対の周溝との間に、４本の条体１４，１４，１４，１４が巻き掛けられている。
【００１６】
尚、６本の条体１０Ａ〜１０Ｆはいずれも同じ周長のものが使用されている。これにより、条体１０Ａ〜１０Ｆの予備品として１種類だけを保管しておけばよく、保管コストと保管スペースの低減化を図ることができる。条体１０Ａ〜１０Ｆにおいて高さ位置の違いおよびローラ体設置位置の違いによる周回距離の差は、ローラ体群２７の長さ調整用ローラ体２６，２６，２６，・・・を適宜選択して掛け回すことにより吸収される。また、条体１０Ａ〜１０Ｆおよび条体１４，１４，１４，１４は例えば断面略円形の丸ベルト（例えばウレタンゴム製）が使用される。但し、平ベルトでもよいし、材質もウレタンゴムに限定されない。
【００１７】
このコンベアユニット１においては、前部枠板２，２の配置部分が左右横幅の狭い幅狭部３０であり、後部枠板３，３の配置部分のうちローラ体４の近傍が送出側端部３１となっている。そして、後部枠板３，３の配置部分のうち送出側端部３１と幅狭部３０との間は、無端状体１１の載置面３６Ａ（仮想面）の正断面形状が幅狭部３０での湾曲形状から送出側端部３１での平坦形状へ移行する移行部３０Ａとなっている。そして、前部枠板２，２におけるローラ体６Ａ〜６Ｆの近傍が、シップ薬シート３７または３７Ｓ（可撓性シート、図５参照）を受け取る受取側端部２２となっている。そして、後で詳述するコンベア装置５０（図５、図６）の計数器３５に向けて、無端状体１１からのシップ薬シート３７または３７Ｓを案内する案内棒１８，１８，１８，１８がローラ体４後方の後部枠板３，３に配備されている。更に、前記した計数器３５の直上位置に枢支部３３が吊下げ配置され、この枢支部３３に枢支軸３２が水平方向旋回自在に枢支されている。前部枠板２，２の下面には、例えば床上を転動する車輪３８が配備されている。
【００１８】
上記のように構成されたコンベアユニット１の動作を次に説明する。まず、モータ２３が起動して駆動ローラ体２４が回転駆動されると、無端状体１１の条体１０Ａ〜１０Ｆが矢印Ｆ方向に走行して各ローラ体間を周回する。また、シップ薬シート３７の左右両側部を載置する４本のローラ体１４，１４，１４，１４もローラ体４に従動してローラ体４とローラ体１３の間を周回する。そして、幅狭部３０においては、左右中央部の条体１０Ｃ，１０Ｄが最も低く、左右両側部の条体１０Ａ，１０Ｆが最も高く、条体１０Ａと条体１０Ｃの間の条体１０Ｂおよび条体１０Ｆと条体１０Ｄの間の条体１０Ｅがそれぞれの中間の高さ位置にある。従って、６本の条体１０Ａ〜１０Ｆで構成される無端状体１１の載置面３６Ａ（図３中の１点鎖線）は、左右中央部分が下向きに凹んだ円弧状の湾曲形状となっている。従って、幅狭部３０において、無端状体１１の仮想上面である載置面３６Ａに載置されたシップ薬シート３７は、平らに置かれたときの幅Ｙ１よりも狭い幅Ｙ２で搬送される（図３参照）。そして、移行部３０Ａでは、搬送に伴ってシップ薬シート３７が徐々に平らな形態に変化していく。そうして、送出側端部３１において、シップ薬シート３７は平らな状態となったのち（図４参照）、案内棒１８を経て計数器３５に落下する。
【００１９】
上記したように、コンベアユニット１は、平らに置かれたときの幅Ｙ１よりも狭い幅Ｙ２にした状態のシップ薬シート３７を搬送することができる。従って、本体枠板２，２間の左右横幅をシップ薬シート３７の幅Ｙ１よりも小さくすることができる。これにより、複数のコンベアユニット１，１，１，・・・を左右横幅方向に詰めて配置することができる。また、無端状体１１の載置面３６Ａは左右中央部分が下向きに凹んだ湾曲形状となっているので、搬送中のシップ薬シート３７は自重により無端状体１１の最も低い左右中央部分に向かおうとするから、搬送中にシップ薬シート３７が無端状体１１から左右側方に飛び出しにくいという効果も奏する。また、シート搬送方向と直角の横方向に並べて配置された複数の条体１０Ａ〜１０Ｆで、無端状体１１が構成されているので、簡素な構成で済み、走行時に無端状体１１に無理な力がかかりにくい。
【００２０】
次に、上記したコンベアユニット１を複数用いたコンベア装置を、図５および図６に示す。図示のコンベア装置５０は、複数のシップ薬シート３７をシート搬送方向（矢印Ｇ方向）と直角の横方向に並べて搬送する第１コンベア装置５１と、第１コンベア装置５１から離れた後方位置に配備された２基の第２コンベア装置５２Ａ，５２Ｂと、第１コンベア装置５１と第２コンベア装置５２Ａまたは５２Ｂとの間に配備されて、第１コンベア装置５１からのシップ薬シート３７を第２コンベア装置５２Ａまたは５２Ｂに搬送する６基のコンベアユニット１（１），１（２），１（３），１（４），１（５），１（６）とを備えている。この例では、６枚のシップ薬シート３７,３７,３７，３７,３７,３７が、第１コンベア装置５１上で１点鎖線Ｔを中心としてその左右両側に３枚ずつ並べた、いわゆるセンター基準で配置される。第１コンベア装置５１の上流側には、フィルムライナー上に軟質のシップ剤を塗布するコータ装置（図示省略）が配備されており、コータ装置で切断されて得られたシップ薬シート３７または３７Ｓが第１コンベア装置５１に供給されるようになっている。
【００２１】
前記したコンベアユニット１，１，１，１，１，１は、第１コンベア装置５１により搬送された６枚のシップ薬シート３７または３７Ｓの個々に対応してそれぞれ配備されている。各コンベアユニット１の受取側端部２２は、第１コンベア装置５１において６枚のシップ薬シート３７,３７,３７，３７,３７,３７（または３７Ｓ,３７Ｓ,３７Ｓ，３７Ｓ,３７Ｓ,３７Ｓ）を送出する各位置にそれぞれ配置されている。一方、各コンベアユニット１の送出側端部３１の上方位置には、各コンベアユニット１の枢支軸３２を横方向旋回自在に枢支する枢支部３３がそれぞれ設けられている。そして、第１コンベア装置５１の後方でコンベアユニット１，１，１，１，１，１の左右側方位置には、各コンベアユニット１を横旋回駆動させるアクチュエータ６４が配備されている。各アクチュエータ６４は連結杆６５を介してコンベアユニット１の幅狭部３０に連結されている。
【００２２】
そして、第２コンベア装置５２Ａ，５２Ｂはそれぞれの長手方向を矢印Ｇと直角の方向に向けて配置されている。第２コンベア装置５２Ａ，５２Ｂは、いずれも、並走する２つの走行体で構成され、２つの走行体間にはシート落下用の隙間５６が設けられている。これらの第２コンベア装置５２Ａ，５２Ｂは、本体フレーム５５に水平軸心回りに枢支されたスプロケット５７，５８，５９，６０に架け回されて周回する。スプロケット５７は、モータ６２の回転駆動軸に固設されたスプロケット６１にチェーン６３を介して連結されている。第２コンベア装置５２Ａ，５２Ｂの外周面には、多数のバケット３４，３４，３４，・・・が適宜間隔で取り付けられている。
【００２３】
コンベア装置５０の左右中央部であって、第２コンベア装置５２Ａ，５２Ｂの上方位置には、それぞれ３基の計数器３５，３５，３５が配備されている。各計数器３５は、そのケーシング内に、上下２対の計数ユニット６８，６８，６８，６８が配備されている。各計数ユニット６８は、水平軸心回りに回転する回転軸６６と、回転軸６６の外周面に固設された４枚の羽根６７，６７，６７，６７とから構成されている。計数器３５のケーシング上面にはシート受入れ用の受入開口が形成され、ケーシング下面にはシート払出し用の払出開口が形成されている。そして、各計数器３５の直下をバケット３４，３４，３４，・・・が走行する。更に、各計数器３５の直上位置には、各コンベアユニット１の送出側端部３１が配置されている。各送出側端部３１の枢支軸３２はその枢軸心Ｃが計数器３５の受入開口の直上位置となるように配置されている。
【００２４】
上記のように構成されたコンベア装置５０の動作を次に説明する。まず、第１コンベア装置５１から送り出されるシップ薬シート３７，３７，３７，３７，３７，３７（３枚分の幅がＷ１）を受け取れる位置に、コンベアユニット１，１，１，１，１，１の受取側端部２２，２２，２２，２２，２２，２２を配置させる。すなわち、アクチュエータ６４，６４，６４，６４，６４，６４を駆動してコンベアユニット１，１，１，１，１，１を枢支軸３２の枢軸心Ｃ回りに水平旋回（矢印Ｈ方向）させ、各シップ薬シート３７を受ける位置に対応した所定位置に、受取側端部２２，２２，２２，２２，２２，２２をそれぞれ配置させるのである。
【００２５】
そして、第１コンベア装置５１、各コンベアユニット１、第２コンベア装置５２Ａ，５２Ｂを駆動する。すると、第１コンベア装置５１により矢印Ｇ方向に搬送されたシップ薬シート３７，３７，３７，３７，３７，３７は、コンベアユニット１，１，１，１，１，１の受取側端部２２，２２，２２，２２，２２，２２に受け渡されて矢印Ｆ方向に搬送される。第１コンベア装置５１上の一側のシップ薬シート３７，３７，３７はコンベアユニット１（１），１（２），１（３）の送出側端部３１，３１，３１から計数器３５，３５，３５に送り出されて計数される。計数器３５に収容されたシップ薬シート３７は、上段２つの計数ユニット６８，６８により計数されたのちに、下段２つの計数ユニット６８，６８の羽根６７，６７上に一時保持される。そして、当該計数器３５の直下位置に次のバケット３４が到着したとき、羽根６７，６７が開いてシップ薬シート３７をバケット３４内に払い出すようになっている。第１コンベア装置５１上の他側のシップ薬シート３７，３７，３７もコンベアユニット１（４），１（５），１（６）の送出側端部３１，３１，３１から計数器３５，３５，３５に送り出されて計数されたのちに計数器３５，３５，３５から第２コンベア装置５２Ｂのバケット３４に払い出されるようになっている。シップ薬シート３７を収容した第２コンベア装置５２Ａおよび５２Ｂのバケット３４は左右外向き（矢印Ｉ方向）に搬送される。
【００２６】
そして、計数器３５の計数値が規定枚数であったシップ薬シート３７を収容したバケット３４は搬送コンベア５４の上方位置でバケット底面が開かれる。これにより、シップ薬シート３７は搬送コンベア５４に払い出され、次の袋詰め工程に供される。一方、計数器３５の計数値が規定枚数でなかったシップ薬シート３７を収容したバケット３４は回収コンベア５３の上方位置でバケット底面が開かれる。これにより、シップ薬シート３７は回収コンベア５３に払い出されて回収される。
【００２７】
その後、第１コンベア装置５１の搬送対象がシップ薬シート３７から幅狭のシップ薬シート３７Ｓ（３枚分の幅がＷ１よりも狭いＷＳ）にサイズチェンジされる場合は、アクチュエータ６４，６４，６４，６４，６４，６４が駆動されて、全てのコンベアユニット１，１，１，１，１，１がセンターの１点鎖線Ｔに向かって水平旋回され、車輪３８，３８，３８，３８，３８，３８が床上を転動する。すなわち、受取側端部２２，２２，２２，２２，２２，２２の間が詰められる。これにより、コンベアユニット１，１，１，１，１，１はシップ薬シート３７Ｓ，３７Ｓ，３７Ｓ，３７Ｓ，３７Ｓ，３７Ｓを受け取ることができ、第２コンベア装置５２Ａ，５２Ｂに支障なく搬送できるのである。
【００２８】
上記したように、この実施形態のコンベア装置５０は、ひとつの装置で、横幅の異なるシップ薬シート３７，３７Ｓを取り替えて搬送することができる。従って、シップ薬シートの適用サイズの異なるコンベア装置を複数種用意する必要がなくなる。
【００２９】
尚、上記の実施形態では、複数本の丸ベルトで構成された無端状体を例示したが、本発明の無端状体はそれに限定されるものでない。例えば、図７に示すように、シート搬送方向に見て下向きに湾曲した湾曲形状に形成された実際の載置面３６Ｃ（実際面）を有する板状の無端状体６９を用いることも可能である。その場合、無端状体６９を複数の支持ローラ７０，７０，７０，・・・上に支持して走行させるとよい。
また、本発明に適用される可撓性シートとしては、上記したシップ薬シートに限らず、コンベアユニットの載置面に置かれたときに自重で下向きに湾曲する程度の可撓性を有するものであればよい。
【図面の簡単な説明】
【００３０】
【図１】本発明の一実施形態に係るコンベアユニットの平面構成図である。
【図２】図１におけるＡ−Ａ線矢視図である。
【図３】図２におけるＢ−Ｂ線矢視およびＣ−Ｃ線矢視の図である。
【図４】図２におけるＤ−Ｄ線矢視図である。
【図５】本発明の実施形態に係るコンベア装置の平面構成図である。
【図６】前記コンベア装置の背面構成図である。
【図７】コンベアユニットの別例を図３に対応して示す断面図である。
【図８】従来のコンベア装置を示す平面構成図である。
【符号の説明】
【００３１】
１    コンベアユニット
４，６Ａ〜６Ｆ，１６Ａ，１６Ｂ  ローラ体
１０Ａ〜１０Ｆ  条体
１１，６９  無端状体
２０  ローラ体
２２  受取側端部
３０  幅狭部
３１  送出側端部
３２  枢支軸
３３  枢支部
３６Ａ,３６Ｃ  載置面
３７，３７Ｓ  シップ薬シート（可撓性シート）
５０  コンベア装置
５１  第１コンベア装置
５２Ａ，５２Ｂ  第２コンベア装置
６４  アクチュエータ
Ｃ  枢軸心
Ｆ  矢印
Ｇ  矢印
Ｗ１  幅
ＷＳ  幅
Ｙ１  幅
Ｙ２  幅
【図１】
2008214034.tif 000003
【図２】
2008214034.tif 000004
【図３】
2008214034.tif 000005
【図４】
2008214034.tif 000006
【図５】
2008214034.tif 000007
【図６】
2008214034.tif 000008
【図７】
2008214034.tif 000009
【図８】
2008214034.tif 000010